(57)【要約】【課題】コスト及び設置スペースの増大を抑制しながら、大きな広告又は展示スペースを確保して様々な趣向を凝らした広告又は展示を行うことを可能にする、回転体を備えた広告又は展示装置を提供する。【解決手段】円環状垂直回転体１の内周面を水平軸まわりに回転可能な転動体により支持することにより、円環状垂直回転体１の径方向への移動を規制するとともに円環状垂直回転体１を前記内周面に沿う円の中心まわりに回転可能とし、円環状垂直回転体１の外側に備えた回転駆動手段１０により円環状垂直回転体１を回転させた状態で、円環状垂直回転体１の内側空間Ｓ内に広告品又は展示品Ｄを収容して、広告又は展示を行う。【選択図】図１
0003155338.tif 000002
【実用新案登録請求の範囲】
【請求項１】
円環状垂直回転体の内周面を水平軸まわりに回転可能な転動体により支持することにより、前記垂直回転体の径方向への移動を規制するとともに前記垂直回転体を前記内周面に沿う円の中心まわりに回転可能とし、前記垂直回転体の外側に備えた回転駆動手段により前記垂直回転体を回転させた状態で、前記垂直回転体の内側空間内に広告又は展示を行うことを特徴とする回転体を備えた広告又は展示装置。
【請求項２】
前記垂直回転体の軸方向への移動を規制する軸方向移動規制手段を設けてなる請求項１記載の回転体を備えた広告又は展示装置。
【請求項３】
前記転動体が視認されないよう前記転動体を被うカバーを設けてなる請求項１記載の回転体を備えた広告又は展示装置。
【請求項４】
前記垂直回転体が水車であり、前記回転駆動手段がポンプで汲み上げた水を前記水車に掛けるものである請求項1記載の回転体を備えた広告又は展示装置。
【考案の詳細な説明】
【技術分野】
【０００１】
本考案は、人目を惹くように回転する回転体を備えた広告又は展示装置に関するものである。
【背景技術】
【０００２】
人が動くものを注視する本能的作用を利用した、人目を惹くように回転する回転体を備えた広告装置として、垂直回転体である水車を横軸まわりに回転可能に支持するとともに、水車の外部に設けた広告媒体である多面体を回転軸まわりに回転可能に支持し、水車の横軸と多面体の回転軸とを歯車伝達機構により連結してなり、揚水装置により汲み上げた水を落下させて水車を回転させることにより、この回転と連動して広告媒体を回転させるようにしたものがある（例えば、特許文献１参照。）。
このような広告装置によれば、水車及び広告媒体の回転並びに歯車伝達機構が見る者の注意を惹き付けるため、広告効果を高めることができる。
【先行技術文献】
【特許文献】
【０００３】
【特許文献１】実開昭６２−１５８４８５号公報
【考案の概要】
【考案が解決しようとする課題】
【０００４】
しかしながら、このような従来の回転体を備えた広告装置では、垂直回転体である水車の外部に広告媒体である多面体を設けていること、及び、水車の横軸と多面体の回転軸とを連動させる歯車伝達機構が必要であることから、部品点数が多く比較的大掛かりで複雑な構造となっているため、コスト及び設置スペースが増大する。
また、歯車伝達機構を視認可能とするために露出させているため、注意を惹き付けられた人が近づいて歯車に触ってしまい、手指や袖口等が歯車間に挟まれる恐れがある。
さらに、多面体等の表面のみが広告表示面であるため、広告の態様がありふれたものになってしまう。
さらにまた、広告スペース（多面体）を商品等の展示スペースとして用いることができない。
【０００５】
そこで本考案が前述の状況に鑑み、解決しようとするところは、コスト及び設置スペースの増大を抑制しながら、大きな広告又は展示スペースを確保して様々な広告又は展示を行うことを可能にする、回転体を備えた広告又は展示装置を提供する点にある。
【課題を解決するための手段】
【０００６】
本考案に係る回転体を備えた広告又は展示装置は、前記課題解決のために、円環状垂直回転体の内周面を水平軸まわりに回転可能な転動体により支持することにより、前記垂直回転体の径方向への移動を規制するとともに前記垂直回転体を前記内周面に沿う円の中心まわりに回転可能とし、前記垂直回転体の外側に備えた回転駆動手段により前記垂直回転体を回転させた状態で、前記垂直回転体の内側空間内に広告又は展示を行うものである。
【０００７】
このような構成によれば、回転駆動手段により円環状垂直回転体が回転することから、人目を惹くとともに、このように人目を惹いた円環状垂直回転体の内側空間に広告又は展示があることから、広告又は展示効果を高めることができる。
その上、特許文献１のような垂直回転体である水車の外部に広告媒体である多面体を設けるとともに、水車の横軸と多面体の回転軸とを連動させる歯車伝達機構を設ける必要がある構成と比較して、垂直回転体の外部に広告媒体を設けておらず、水車と広告媒体とを連動させる歯車伝達機構もないため、部品点数の少ない簡素な構成により、コスト及び設置スペースの増大を抑制することができる。
【０００８】
その上さらに、例えば特許文献１のような垂直回転体（水車）を回転中心軸（横軸）まわりに回転可能に支持するような一般的な構成ではなく、円環状垂直回転体の内周面を水平軸まわりに回転可能な転動体により支持する構成としていることから、円環状垂直回転体の内側に大きな空間を確保することができるため、この大きな空間を広告又は展示スペースとして様々な趣向を凝らした広告又は展示を行うことができる。
その上、特許文献１のような露出させた歯車伝達機構を用いる構成と比較して、注意を惹き付けられた人が近づいた際における安全性を高めることができる。
【０００９】
ここで、前記垂直回転体の軸方向への移動を規制する軸方向移動規制手段を設けてなると好ましい。
このような構成によれば、垂直回転体の回転をより安定させることができ、この回転動作の信頼性を長期間にわたって高めることができる。
【００１０】
また、前記転動体が視認されないよう前記転動体を被うカバーを設けてなると好ましい。
このような構成によれば、円環状垂直回転体の支持メカニズムがどのようになっているのかという興味がわくため、広告又は展示効果をさらに高めることができる。
【００１１】
さらに、前記垂直回転体が水車であり、前記回転駆動手段がポンプで汲み上げた水を前記水車に掛けるものであると好ましい。
このような構成によれば、例えば木製とした水車により郷愁を感じさせるとともに憩い及び癒しの空間とすることができること、並びに、このような水車の中心に回転を支持する横軸がないことから、その特徴的な構造が見る者の好奇心を刺激するため、広告又は展示効果をさらに高めることができる。
【考案の効果】
【００１２】
以上のように、本考案に係る回転体を備えた広告又は展示装置によれば、簡素な構成によりコスト及び設置スペースの増大を抑制しながら、大きな広告又は展示スペースを確保して様々な趣向を凝らした広告又は展示を行うことができるという顕著な効果を奏する。
【図面の簡単な説明】
【００１３】
【図１】本考案の実施の形態に係る回転体を備えた広告又は展示装置全体の外観を示す斜視図である。
【図２】要部拡大縦断右側面図である。
【図３】円環状垂直回転体の縦断正面図である。
【図４】円環状垂直回転体の支持構造のバリエーションを示す要部拡大縦断右側面図である。
【考案を実施するための形態】
【００１４】
本考案に係る回転体を備えた広告又は展示装置は、例えば、庭園内、屋上、店舗の入口、ショールーム、展示会場等に設置して用いることができる。
なお、本明細書においては、円環状垂直回転体１の背面側から正面側へ向かう方向（図中矢印Ｆ参照。）の前側を前、後側を後とし、前方から見た図を正面図とする。
【００１５】
図１〜図３に示す本考案の実施の形態に係る回転体を備えた広告又は展示装置における円環状垂直回転体１である水車２は、例えば木製であり、前後方向に離間した輪板４，４を繋ぐ周板３の内周面３Ａが水平軸７Ａ，７Ａ，…まわりに回転可能な転動体７，７，…により支持され、水平軸７Ａ，７Ａ，…は受け金具８，８，…により支持され、受け金具８，８，…は支持フレーム１３に固定され、支持フレーム１３は連結体１４，１４，…により支持架構１５に連結される。
よって、水車２の径方向への移動が規制されるとともに、水車２はその内周面３Ａに沿う円Ｃの中心Ｏまわりに回転可能とされる。
【００１６】
また、水車２の内側には通常の水車のような横軸及びくも手（中柱等）を無くしており、内側空間Ｓが空いているため、内側空間Ｓ内に広告品又は展示品Ｄを収容することができる。
さらに、水車２の前後の輪板４，４間には放射状の水受け板５，５，…が取り付けられており、図１に示す容器（溜め池）１９内の水Ｗをポンプ１６により汲み上げてパイプ１７内を上昇させ、放水口１８から放水して水車２に掛け、この水Ｗを水車２の水受け５，５，…で受けることにより、水車２が回転する。
すなわち、ポンプ１６、パイプ１７及び水Ｗが、水車２（円環状垂直回転体１）の外側に備えた、水車２を回転させる回転駆動手段１０を構成する。
【００１７】
ここで、図２及び図３に示すように、周方向に３０°等分で８個の転動体７，７，…を前後２列設けているが、本発明はこのような構成に限定されるものではなく、要求仕様等に応じて転動体７の周方向の個数は適宜選択することができるとともに、前後方向の列数も単列又は複列（２列ではなく３列以上であってもよい。）を適宜選択することができる。
また、図２に示すように前側の転動体７の前側及び後側の転動体７の後側には、周板３の内周面３Ａに、該内周面３Ａから突出する、水車２の軸方向（前後方向）への移動を規制する軸方向移動規制手段１１であるガイドリング９，９が取り付けられているため、水車２の回転をより安定させることができ、この回転動作の信頼性を長期間にわたって高めることができる。
さらに、図２に示すように転動体７，７，…の前側に前側の輪板４の内周側を径方向内側へ延出して転動体７，７，…を被うカバー１２を形成しているため、転動体７，７，…は水車２の正面側から視認されない。
【００１８】
図４に示す円環状垂直回転体１の支持構造のバリエーションにおいては、前側の輪板４の前側及び後側の輪板４の後側に前後の側板６，６を取り付けており、これら側板６，６に前後方向へ延びる周板部を形成してその内周面６Ａ，６Ａが前後の転動体７，７により支持されるため、水車２の径方向への移動が規制されるとともに、水車２はその内周面６Ａ，６Ａに沿う円Ｃの中心Ｏまわりに回転可能とされる。
また、側板６，６に前後方向へ延びる周板部の内周面６Ａ，６Ａには周溝６Ｂ，６Ｂが形成されており、これら周溝６Ｂ，６Ｂに転動体７，７が係合することから、水車２の軸方向（前後方向）への移動を規制する軸方向移動規制手段１１が構成されているため、水車２の回転をより安定させることができ、この回転動作の信頼性を長期間にわたって高めることができる。
さらに、前後の側板６，６に前後方向へ延びる周板部の前後端縁を径方向内側に屈曲させて転動体７，７，…を被うカバー１２を形成しているため、転動体７，７，…は水車２の正面側及び背面側から視認されない。
【００１９】
以上のような構成の回転体を備えた広告又は展示装置によれば、回転駆動手段１０により円環状垂直回転体１である水車２が回転することから、人目を惹くとともに、このように人目を惹いた水車２の内側空間Ｓに広告品又は展示品Ｄがあることから、広告又は展示効果を高めることができる。
また、特許文献１のような垂直回転体である水車の外部に広告媒体である多面体を設けるとともに、水車の横軸と多面体の回転軸とを連動させる歯車伝達機構を設ける必要がある構成と比較して、水車２の外部に広告媒体を設けておらず、水車２と広告媒体とを連動させる歯車伝達機構もないため、部品点数の少ない簡素な構成により、コスト及び設置スペースの増大を抑制することができる。
【００２０】
さらに、例えば特許文献１のような水車を横軸まわりに回転可能に支持するような一般的な構成ではなく、水車２の内周面３Ａ又は６Ａを転動体７，７，…により支持する構成としていることから、水車２の内側に大きな空間Ｓを確保することができるため、この大きな空間Ｓを広告又は展示スペースとして、例えば実際の商品や立体的な広告を置いたり、電飾を施したり、スクリーンに映像を映したり、花や絵画等を展示したり、水車２の背部から前側に水路を通したり、後ろの背景から滝を流したりというような、様々な趣向を凝らした広告又は展示を行うことができる。
【００２１】
さらにまた、特許文献１のような露出させた歯車伝達機構を用いる構成と比較して、注意を惹き付けられた人が近づいた際における安全性を高めることができる。
また、転動体７，７，…が少なくとも前側から視認されないようにするカバー１２を設けているため、水車２の支持メカニズムがどのようになっているのかという興味がわくため、広告又は展示効果をさらに高めることができる。
【００２２】
さらに、円環状垂直回転体１が水車２であり、回転駆動手段１０がポンプ１６で汲み上げた水Ｗを水車２に掛けるものであることにより、例えば木製の水車２により郷愁を感じさせるとともに憩い及び癒しの空間とすることができること、並びに、このような水車２の中心に回転を支持する横軸がないことから、その特徴的な構造が見る者の好奇心を刺激するため、広告又は展示効果をさらに高めることができる。
【００２３】
以上の説明においては、円環状垂直回転体１が水車２である場合を示したが、円環状垂直回転体１は水車２でなくてもよい。よって、円環状垂直回転体１を回転させる回転駆動手段１０は、円環状垂直回転体１が水車２である場合のようなポンプ１６で汲み上げた水Ｗを水車２に掛けるものではなく、例えば回転モータ及び減速機からなるアクチュエータにより電動で円環状垂直回転体１を回転させるもの等であってもよい。
【符号の説明】
【００２４】
Ｃ  円
Ｄ  広告品又は展示品
Ｆ  前方
Ｏ  中心
Ｓ  内側空間
Ｗ  水
１  円環状垂直回転体
２  水車
３  周板
３Ａ  内周面
４  輪板
５  水受け
６  側板
６Ａ  内周面
６Ｂ  周溝
７  転動体
７Ａ  水平軸
８  受け金具
９  ガイドリング
１０  回転駆動手段
１１  軸方向移動規制手段
１２  カバー
１３  支持フレーム
１４  連結体
１５  支持架構
１６  ポンプ
１７  パイプ
１８  放水口
１９  容器（溜め池）
【図１】
0003155338.tif 000003
【図２】
0003155338.tif 000004
【図３】
0003155338.tif 000005
【図４】
0003155338.tif 000006